(57)【要約】【課題】ＦＦＣ同士の接触を防止すると共に、複数のＦＦＣあるいはＦＦＣと一般電線を同時に結束することができる配線クランプを提供する。【解決手段】実施形態によれば、配線クランプは、略直方体の第１の底面に接着または粘着剤が塗布され、前記第１の底面の反対側の第１の上面の両端部近傍に第１の係合部を有する第１の固定具と、略直方体の第２の底面の中央部付近に凹部が設けられ、前記第２の底面の両端部近傍に第２の係合部を有し、前記第２の底面の反対側の第２の上面の両端部近傍に第３の係合部を有する第２の固定具と、を備えている。【選択図】図９
2014029968.tif 000002
【特許請求の範囲】
【請求項１】
略直方体の第１の底面に接着または粘着剤が塗布され、前記第１の底面の反対側の第１の上面の両端部近傍に第１の係合部を有する第１の固定具と、
略直方体の第２の底面の中央部付近に凹部が設けられ、前記第２の底面の両端部近傍に第２の係合部を有し、前記第２の底面の反対側の第２の上面の両端部近傍に第３の係合部を有する第２の固定具と、
を備えた配線クランプ。
【請求項２】
前記第２の固定具を１個または複数備えた請求項１に記載された配線クランプ。
【請求項３】
前記第１の係合部と前記第２の係合部が係合することによって前記第１の固定具と前記第２の固定具が接合する請求項１または請求項２に記載された配線クランプ。
【請求項４】
前記第１の係合部は前記第１の上面から突出して設けられている請求項１または請求項２に記載された配線クランプ。
【請求項５】
前記第２の係合部は前記第２の底面に凹設されている請求項１または請求項２に記載された配線クランプ。
【請求項６】
前記第１の係合部と前記第３の係合部は略同形状である請求項１または請求項２に記載された配線クランプ。
【請求項７】
前記凹部は略角形である請求項１または請求項２に記載された配線クランプ。
【請求項８】
第３の底面を有する略直方体の２個の基底部と該２個の基底部を連結する連結部を有し、前記第３の底面の両端部近傍に前記第２の係合部と略同形状の第４の係合部を有する第３の固定具と、
を備えた請求項１または請求項２に記載した配線クランプ。
【請求項９】
前記第３の係合部と前記第４の係合部が係合することによって前記第２の固定具と第３の固定具が接合する請求項８に記載された配線クランプ。
【請求項１０】
前記連結部は少なくとも２個の前記基底部の間に空間部を形成する請求項８に記載された配線クランプ。
【発明の詳細な説明】
【技術分野】
【０００１】
本発明の実施形態は、電子機器のシャーシ等にケーブルを延設するための配線クランプに関する。
【背景技術】
【０００２】
電子機器のシャーシ等に基板間あるいは部品間を接続する内部配線を固定するために従来から配線固定具が用いられている。例えば、シャーシの表面に沿ってフレキシブルフラットケーブル（ＦＦＣ）を延設配置する場合には、フラットケーブルクランプが用いられる。
【先行技術文献】
【特許文献】
【０００３】
【特許文献１】実開平６−１４５１８号公報
【発明の概要】
【発明が解決しようとする課題】
【０００４】
近年、映像機器の液晶パネル向けのデジタルインタフェースとして、高速な信号の伝送が可能で内部バスの信号線の本数を減らせることができるＬＶＤＳ（Low Voltage Differential Signaling）が採用されている。この信号伝送は、例えば、フルＨＤ（high definition）の液晶パネルを搭載した場合には、４１ピンと５１ピンのＦＦＣが用いられる場合がある。ＬＶＤＳは外来ノイズによる影響を受けにくいと言われているが、上記２種のＦＦＣが接触すると信号にノイズが発生する場合がある。従ってこのような場合にはＦＦＣ同士が接触しないように延設した方がよい。
【０００５】
ＦＦＣとは異なる一般加工電線も同様に配置され、これら電線の延設においては綿粘着テープ等を用いてシャーシの表面に固定するために、電線の左右に１５ｍｍから２０ｍｍの糊しろが必要となり、映像機器の小型化の妨げとなっていた。
【０００６】
本発明の目的は、上記したような事情に鑑み成されたものであって、ＦＦＣ同士の接触を防止すると共に、複数のＦＦＣあるいはＦＦＣと一般電線を同時に結束することができる配線クランプを提供することである。
【課題を解決するための手段】
【０００７】
上記目的を達成するために、実施形態によれば、配線クランプは、略直方体の第１の底面に接着または粘着剤が塗布され、前記第１の底面の反対側の第１の上面の両端部近傍に第１の係合部を有する第１の固定具と、略直方体の第２の底面の中央部付近に凹部が設けられ、前記第２の底面の両端部近傍に第２の係合部を有し、前記第２の底面の反対側の第２の上面の両端部近傍に第３の係合部を有する第２の固定具と、を備えている。
【図面の簡単な説明】
【０００８】
【図１】第１の実施形態に係わる第１の固定具の外観斜視図。
【図２】第１の実施形態に係わる第１の固定具の側面図。
【図３】第１の実施形態に係わる第２の固定具の外観斜視図。
【図４】第１の実施形態に係わる第２の固定具の側面図。
【図５】第１の固定具と第２の固定具が接合した状態を示した外観斜視図。
【図６】第１の固定具と２個の第２の固定具が接合した状態を示した外観斜視図。
【図７】第１の実施形態に係わる第３の固定具の外観斜視図。
【図８】第１の実施形態に係わる第３の固定具の側面図。
【図９】第１の固定具、第２の固定具と第３の固定具が接合した状態を示した外観斜視図。
【図１０】第２の実施形態に係わる第１の固定具の外観斜視図。
【図１１】第２の実施形態に係わる第１の固定具の側面図。
【図１２】第２の実施形態に係わる第２の固定具の外観斜視図。
【図１３】第２の実施形態に係わる第２の固定具の断面図及び側面図。
【図１４】第２の実施形態に係わる第３の固定具の外観斜視図。
【図１５】第２の実施形態に係わる第３の固定具の断面図及び側面図。
【図１６】第２の実施形態に係わる第１の固定具、第２の固定具と第３の固定具が接合した状態を示した外観斜視図。
【図１７】第３の実施形態に係わる第２の固定具の外観斜視図。
【図１８】第３の実施形態に係わる第２の固定具の断面図及び側面図。
【図１９】第３の実施形態に係わる第３の固定具の外観斜視図。
【図２０】第３の実施形態に係わる第３の固定具の断面図及び側面図。
【図２１】第３の実施形態に係わる第１の固定具、第２の固定具と第３の固定具が接合した状態を示した外観斜視図。
【発明を実施するための形態】
【０００９】
（第１の実施形態）
以下第１の実施形態について図面を参照しながら説明する。図１は、第１の実施形態に係わる第１の固定具１の外観斜視図である。図２は、第１の実施形態に係わる第１の固定具の側面図である。第１の固定具１は、主要部２が略直方体の形状をしており、主要部２の底面３（第１の底面３）、第１の底面３の反対側の上面４（第１の上面４）、長手方向の側面５、側面６、短手方向の側面７、側面８より形成され、第１の上面４の両端部近傍（側面７と側面８の近傍）に第１の係合部９及び１０が設けられている。
【００１０】
第１の底面３には、接着剤１１または粘着剤１１が塗布されており、第１の固定具１を電子機器のシャーシ等に接着または粘着することができる。接着剤１１または粘着剤１１の表面に剥離紙が付着しており、この剥離紙を剥がすことによってシャーシ等に接着または粘着することができる。
【００１１】
第１の固定具１は、樹脂材料を成型することにより形成される。樹脂材料としては、ポリアミド系樹脂、塩化ビニル等が好適である。
【００１２】
図２に示したように、第１の係合部９、１０は第１の上面４から突出している。第１の係合部９、１０を側面から見た形状は、円形と円形の直径より幅の狭い方形が連結した形状をしており、例えば、豆電球を側面から見たような形状である。第１の係合部９、１０の上部９ａ、１０ａを側面から見た形は略円形であり、先端部の第１の上面４からの高さはＨ１である。茎部９ｂ、１０ｂは上部９ａ、１０ａと第１の上面４とを接続する部分である。  上部９ａ、１０ａの直径Ｄ１は茎部９ｂ、１０ｂの幅Ｗ１よりも大きい。第１の係合部９と第１の係合部１０の間隔は距離Ｐである。図１に示したように、上部９ａ、１０ａ、茎部９ｂ、１０ｂは側面５から側面６まで一様に突設されている。
【００１３】
図３は、第１の実施形態に係わる第２の固定具１３の外観斜視図である。図４は、第１の実施形態に係わる第２の固定具１３の側面図である。第２の固定具１３は、主要部１４が略直方体の形状をしており、主要部１４の底面１５（第２の底面１５）、第２の底面１５の反対側の上面１６（第２の上面１６）、長手方向の側面１７、側面１８、短手方向の側面１９、側面２０より形成されている。
【００１４】
第２の底面１５の中央部付近にフラットケーブル用の略角型の凹部２１が設けられている。凹部２１の凹部底面２１ａと第２の底面１５との間の距離は距離Ｓである。また、凹部底面２１ａと第２の上面１６との間の距離は距離Ｔである。凹部２１の長手方向の長さは長さＬである。
【００１５】
第２の底面１５の両端部近傍（側面１９と側面２０の近傍）に第２の係合部２２及び２３を有する。図４に示したように第２の係合部２２、２３は、第２の底面１５に対して凹形に形成された空間部である。第２の係合部２２、２３を側面から見た空間部の形状は、円形と円形の直径より幅の狭い方形が連結した形状をしており、例えば、豆電球を側面から見たような形状である。第２の係合部２２、２３は、第１の係合部９、１０と略相似に近い形状である。
【００１６】
第２の係合部２２、２３の上部２２ａ、２３ａを側面から見た形は略円形であり、先端部の第２の底面１５からの高さ（深さ）はＨ２である。茎部２２ｂ、２３ｂは上部２２ａ、２３ａと第２の底面１５とを接続する部分である。上部２２ａ、２３ａの直径Ｄ２は茎部２２ｂ、２３ｂの幅Ｗ２よりも大きい。上部２２ａ、２３ａ、茎部２２ｂ、２３ｂは側面１７から側面１８まで一様に凹設されている。
【００１７】
第２の上面１６の両端部近傍（側面１９と側面２０の近傍）に第３の係合部２４及び２５が設けられている。第３の係合部２４、２５は第２の上面１６から突出している。第３の係合部２４、２５は、第１の固定具１の第１の係合部９、１０と略同じ形状である。従って、第３の係合部２４、２５の先端部の第２の上面１６からの高さはＨ１であり、上部２４ａ、２５ａの直径は直径Ｄ１であり、茎部２４ｂ、２５ｂの幅は幅Ｗ１である。第３の係合部２４と２５の間隔は距離Ｐである。上部２４ａ、２５ａ、茎部２４ｂ、２５ｂは側面１７から側面１８まで一様に突設されている。第２の固定具１３は、樹脂材料を成型することにより形成される。樹脂材料としては、ポリアミド系樹脂、塩化ビニル等が好適である。
【００１８】
第１係合部９、１０と第２の係合部２２、２３を其々係合させることにより、第１の固定具１と第２の固定具１３を接合させることができる。第２の係合部２２、２３の高さＨ２は、第１係合部９、１０の高さＨ１より大きい。第２の係合部２２、２３の直径Ｄ２は、第１係合部９、１０の直径Ｄ１より大きい。第２の係合部２２、２３の幅Ｗ２は、第１係合部９、１０の幅Ｗ１より大きい。第１係合部９、１０の直径Ｄ１は、第２の係合部２２、２３の幅Ｗ２より大きい。
【００１９】
第１の固定具１を下にして、係合部同士の位置を合わせてから、上から第２の固定具１３を押圧すると、第２の係合部２２、２３の上部２２ａ、２３ａの先端部付近が弾性変形し、茎部２２ｂ、２３ｂの幅Ｗ２が広がり、第１の係合部９、１０の上部９ａ、１０ａが茎部２２ｂ、２３ｂに嵌まり込み、更に押圧すると上部９ａ、１０ａが、上部２２ａ、２３ａに嵌まり込む。この後に弾性変形していた上部２２ａ、２３ａの先端部付近が元の状態に戻ることにより、上部９ａ、１０ａが、茎部２２ｂ、２３ｂから抜けない状態となり、第１の固定具１と第２の固定具１３が接合した状態となる。押圧したとき以上の大きな力で引き抜けば、分離できることは言うまでもない。
【００２０】
また、第１の固定具１に対して第２の固定具１３を、短手方向にスライドさせることによっても第１係合部９、１０と第２の係合部２２、２３を其々係合させることができる。作業時の環境温度が低く、第２の固定具１３の上部２２ａ、２３ａの先端部付近が弾性変形し難い状況でも、スライドさせることにより組立てることができる。
【００２１】
図５は、第１の固定具１と第２の固定具１３が接合した状態を示した外観斜視図である。第１の固定具１と第２の固定具１３を接合する前に、ＦＦＣ４０を間に配置し、第１の固定具１に対して第２の固定具１３を上から押圧するか、または、第１の固定具１に対して第２の固定具１３を短手方向にスライドさせて、第１係合部９、１０と第２の係合部２２、２３を其々係合させればよい。ＦＦＣ４０は、第２の固定具１３の凹部２１によって形成された窓部の内部に納まり、位置決めされる。凹部２１の距離Ｓと長手方向の長さＬはＦＦＣ４０の寸法やその他条件により適宜決めればよい。
【００２２】
第２の固定具１３の第３の係合部２４及び２５に別の第２の固定具１３の第２の係合部２２、２３を其々係合させることにより、第２の固定具１３に更に別の第２の固定具１３を接合させることができる。従って複数の第２の固定具１３を重ねて接合することができる。
【００２３】
図６は、第１の固定具１と２個の第２の固定具１３が接合した状態を示した外観斜視図である。図５で示した第１の固定具１と第２の固定具１３を接合させた状態において、更に第２の固定具１３を重ねて接合させた状態を示している。第１の固定具１と第２の固定具１３の間にＦＦＣ４１を配置し、２個の第２の固定具１３の間にＦＦＣ４２を配置している。
【００２４】
図４において説明した凹部底面２１ａと第２の上面１６との間の距離Ｔにより、ＦＦＣ４１とＦＦＣ４２の間隔は距離Ｔを確保することができる。第１の固定具１と複数の第２の固定具１３を用いることにより、ＦＦＣ同士の接触を防止すると共に、複数のＦＦＣを同時に結束することができる。
【００２５】
図７は、第１の実施形態に係わる第３の固定具２７の外観斜視図である。図８は、第１の実施形態に係わる第３の固定具２７の側面図である。第３の固定具２７は、両側の基底部２８とこの両側の２個の基底部２８を略中央で連結する逆Ｕ字形の連結部３７により形成されている。基底部２８は、この基底部２８の底面２９（第３の底面２９）、第３の底面２９の反対側の上面３０（第３の上面３０）、長手方向の側面３１、側面３２、短手方向の側面３３、側面３４より形成されている。
【００２６】
連結部３７は少なくとも２個の基底部２８の間に空間部３８を形成している。連結部３７の空間部３８の幅は距離Ｍである。なお、連結部３７は逆Ｕ字形であったが、同様な空間部を有すれば、角形でも多角形でもよい。第３の固定具２７は、樹脂材料を成型することにより形成される。樹脂材料としては、ポリアミド系樹脂、塩化ビニル等が好適である。
【００２７】
第３の固定具２７は、第３の底面２９の両端部近傍（側面３３と側面３４の近傍）に第４の係合部３５、３６を有する。図８に示したように第４の係合部３５、３６は、第３の底面２９に対して凹形に形成されている。第４の係合部３５、３６の上部３５ａ、３６ａを側面から見た形は略円形である。茎部３５ｂ、３６ｂは上部３５ａ、３６ａと第３の底面２９とを接続する部分である。上部３５ａ、３６ａ、茎部３５ｂ、３６ｂは側面３１から側面３２まで一様に凹設されている。
【００２８】
第４の係合部３５、３６は、第２の固定具１３の第２の係合部２２、２３と略同じ形状である。第４の係合部３５、３６の先端部の第３の底面２９からの高さはＨ２であり、上部３５ａ、３６ａの直径は直径Ｄ２であり、茎部３５ｂ、３６ｂの幅は幅Ｗ２である。第４の係合部３５と３６の間隔は距離Ｐである。
【００２９】
従って、第４の係合部３５、３６と第１の固定具１の第１の係合部９、１０を其々係合させることにより、第３の固定具２７と第１の固定具１とを接合させることができる。また、第４の係合部３５、３６と第２の固定具１３の第３の係合部２４、２５を其々係合させることにより、第３の固定具２７と第２の固定具１３を接合させることができる。
【００３０】
図９は、第１の固定具１、第２の固定具１３と第３の固定具２７が接合した状態を示した外観斜視図である。図５で示した第１の固定具１と第２の固定具１３を接合させた状態において、更に第３の固定具２７を重ねて接合させた状態を示している。第１の固定具１と第２の固定具１３の間にＦＦＣ４３を配置し、第３の固定具２７の逆Ｕ字形の連結部３７の空間部３８に一般電線４４を配置している。第２の固定具１３の凹部底面２１ａと第２の上面１６との間の距離Ｔにより、ＦＦＣ４３と一般電線４４の間隔は距離Ｔとすることができる。
【００３１】
以上のように、第１の固定具、１個あるいは複数の第２の固定具１３と第３の固定具２７を用いることにより、１個あるいは複数のＦＦＣと一般電線を同時に結束することができ、ＦＦＣと一般電線の接触を防止することができる。
【００３２】
（第２の実施形態）
図１０は、第２の実施形態に係わる第１の固定具５１の外観斜視図である。図１１は、第２の実施形態に係わる第１の固定具５１の側面図である。第１の実施形態と第２の実施形態が異なる点は、第１の実施形態における第１の固定具１の第１の係合部９及び１０が、図１に示したように、上部９ａ、１０ａ、茎部９ｂ、１０ｂは側面５から側面６まで一様にレール状に突設されていたのに対し、第２の実施形態における第１の固定具５１の第１の係合部５９及び６０は、図１０に示したように側面５７と側面５８の近傍に球状の突起が設けられていることである。第１の上面５４から突出している点は共通である。これに伴って第２の固定具６３の第２の係合部７２、７３は、第１の係合部５９及び６０に嵌合するような形状となる。
【００３３】
第１の固定具５１は、主要部５２が略直方体の形状をしており、主要部５２の底面５３（第１の底面５３）、第１の底面５３の反対側の上面５４（第１の上面５４）、長手方向の側面５５、側面５６、短手方向の側面５７、側面５８より形成され、第１の上面５４の両端部近傍（側面５７と側面５８の近傍）に第１の係合部５９及び６０が設けられている。
【００３４】
図１１に示したように、第１の係合部５９、６０は第１の上面５４から突出している。第１の係合部５９、６０を側面から見た形状は、例えば、豆電球を側面から見たような形状である。第１の係合部５９、６０の上部５９ａ、６０ａは略球形であり、先端部の第１の上面５４からの高さはＨ１である。茎部５９ｂ、６０ｂは上部５９ａ、６０ａと第１の上面５４とを接続する部分で形状は略円柱である。上部５９ａ、６０ａの球形の直径Ｄ１は茎部９ｂ、１０ｂの円柱の直径Ｄ３よりも大きい。第１の係合部５９と第１の係合部６０の間隔は距離Ｐである。
【００３５】
第１の底面５３には、接着剤６１または粘着剤６１が塗布されており、第１の固定具５１を電子機器のシャーシ等に接着または粘着することができる。接着剤６１または粘着剤６１の表面に剥離紙が付着しており、この剥離紙を剥がすことによってシャーシ等に接着または粘着することができる。
【００３６】
図１２は、第２の実施形態に係わる第２の固定具６３の外観斜視図である。図１３は、第２の実施形態に係わる第２の固定具６３の断面図（ａ）と側面図（ｂ）である。断面図（ａ）は側面図（ｂ）におけるＡＡ断面である。第２の固定具６３は、主要部６４が略直方体の形状をしており、主要部６４の底面６５（第２の底面６５）、第２の底面６５の反対側の上面６６（第２の上面６６）、長手方向の側面６７、側面６８、短手方向の側面６９、側面７０より形成されている。
【００３７】
第２の底面６５の中央部付近にフラットケーブル用の略角型の凹部７１が設けられている。凹部７１の凹部底面７１ａと第２の底面６５との間の距離は距離Ｓである。また、凹部底面７１ａと第２の上面６６との間の距離は距離Ｔである。凹部７１の長手方向の長さは長さＬである。
【００３８】
第２の底面６５の両端部近傍（側面６９と側面７０の近傍）に第２の係合部７２及び７３を有する。図１３に示したように第２の係合部７２、７３は、第２の底面６５に対して凹形に形成されている。第２の係合部７２、７３の上部７２ａ、７３ａは略球形の空間部であり、先端部の第２の底面６５からの高さはＨ２である。茎部７２ｂ、７３ｂは上部７２ａ、７３ａと第２の底面６５とを接続する部分であり、略円柱形の空間部である。上部７２ａ、７３ａの直径Ｄ２は茎部２２ｂ、２３ｂの直系Ｄ４よりも大きい。第２の係合部７２、７３は、第１の係合部５９、６０と略相似に近い形状である。
【００３９】
第２の上面６６の両端部近傍（側面６９と側面７０の近傍）に第３の係合部７４及び７５が設けられている。第３の係合部７４、７５は第２の上面６６から突出している。第３の係合部７４、７５は、第１の固定具５１の第１の係合部５９、６０と略同じ形状である。従って、第３の係合部７４、７５の先端部の第２の上面６６からの高さはＨ１であり、上部７４ａ、７５ａの直径は直径Ｄ１であり、茎部７４ｂ、７５ｂの直径は直径Ｄ３である。第３の係合部７４と７５の間隔は距離Ｐである。
【００４０】
第１係合部５９、６０と第２の係合部７２、７３を其々係合させることにより、第１の固定具５１と第２の固定具６３を接合させることができる。第２の係合部７２、７３の高さＨ２は、第１係合部５９、６０の高さＨ１より大きい。第２の係合部７２、７３の直径Ｄ２は、第１係合部５９、６０の直径Ｄ１より大きい。第２の係合部７２ｂ、７３ｂの直径Ｄ４は、第１の係合部５９、６０の直径幅Ｄ３より大きい。第１の係合部５９、６０の直径Ｄ１は、第２の係合部７２、７３の直径Ｄ４より大きい。
【００４１】
第１の固定具５１を下にして、係合部同士の位置を合わせてから、上から第２の固定具６３を押圧すると、第２の係合部７２、７３の上部７２ａ、７３ａの先端部付近が弾性変形し、茎部７２ｂ、７３ｂの直径Ｄ４が広がり、第１の係合部５９、６０の上部５９ａ、６０ａが茎部７２ｂ、７３ｂに嵌まり込み、更に押圧すると上部５９ａ、６０ａが、上部７２ａ、７３ａに嵌まり込む。この後に弾性変形が元の状態に戻ることにより、上部５９ａ、６０ａが、茎部７２ｂ、７３ｂから抜けない状態となり、第１の固定具５１と第２の固定具６３が接合した状態となる。
【００４２】
第２の固定具６３の第３の係合部７４及び７５に別の第２の固定具６３の第２の係合部７２、７３を其々係合させることにより、第２の固定具６３に更に別の第２の固定具６３を接合させることができる。従って複数の第２の固定具６３を重ねて接合することができる。
【００４３】
図１４は、第２の実施形態に係わる第３の固定具７７の外観斜視図である。図１５は、第２の実施形態に係わる第３の固定具７７の断面図（ａ）と側面図（ｂ）である。断面図（ａ）は側面図（ｂ）におけるＢＢ断面である。第３の固定具７７は、両側の２個の基底部７８とこの両側の基底部７８を略中央で連結する逆Ｕ字形の連結部８７により形成されている。基底部７８は、基底部７８の底面７９（第３の底面７９）、第３の底面７９の反対側の上面８０（第３の上面８０）、長手方向の側面８１、側面８２、短手方向の側面８３、側面８４より形成されている。連結部８７は少なくとも２個の基底部７８の間に空間部８８を形成している。連結部８７の空間部８８の幅は距離Ｍである。なお、連結部８７は逆Ｕ字形であったが、角形でも多角形でもよい。
【００４４】
第３の底面７９の両端部近傍（側面８３と側面８４の近傍）に第４の係合部８５、８６を有する。図１５に示したように第４の係合部８５、８６は、第３の底面７９に対して凹形に形成されている。第４の係合部８５、８６の上部８５ａ、８６ａは略球形の空間部である。茎部８５ｂ、８６ｂは上部８５ａ、８６ａと第３の底面２９とを接続する部分で略円柱形の空間部である。
【００４５】
第４の係合部８５、８６は、第２の固定具６３の第２の係合部７２、７３と略同じ形状である。第４の係合部８５、８６の先端部の第３の底面７９からの高さはＨ２であり、上部８５ａ、８６ａの直径は直径Ｄ２であり、茎部８５ｂ、８６ｂの直径はＤ４である。第４の係合部８５と８６の間隔は距離Ｐである。
【００４６】
第４の係合部８５、８６と第１の固定具５１の第１の係合部５９、６０を其々係合させることにより、第３の固定具７７と第１の固定具５１とを接合させることができる。また、第４の係合部８５、８６と第２の固定具６３の第３の係合部７４、７５を其々係合させることにより、第３の固定具７７と第２の固定具６３を接合させることができる。
【００４７】
図１６は、第１の固定具５１、第２の固定具６３と第３の固定具７７が接合した状態を示した外観斜視図である。第１の固定具５１と第２の固定具６３の間の凹部７１にＦＦＣを配置し、第３の固定具７７の逆Ｕ字形の連結部８７の空間部８８に一般電線を配置することができる。第２の固定具６３の凹部底面７１ａと第２の上面６６との間の距離Ｔにより、ＦＦＣと一般電線の間隔を距離Ｔとすることができる。第１の固定具５１、１個あるいは複数の第２の固定具６３と第３の固定具７７を用いることにより、１個あるいは複数のＦＦＣと一般電線を同時に結束することができ、ＦＦＣ同士、ＦＦＣと一般電線の接触を防止することができる。
【００４８】
（第３の実施形態）
図１７は、第３の実施形態に係わる第２の固定具９１の外観斜視図である。図１８は、第３の実施形態に係わる第２の固定具９１の断面図（ａ）及び側面図（ｂ）である。断面図（ａ）は側面図（ｂ）におけるＣＣ断面である。第２の実施形態と第３の実施形態が異なる点は、第２の実施形態における第２の固定具６３の第２の係合部７２及び７３が、図１２に示したように、第２の底面６５に対して凹形に形成され、開口部が第２の底面６５にあるだけで、側面６７、６８、７０に対して閉ざされた状態で形成されていたのに対して、第３の実施形態における第２の固定具９１の第２の係合部１００、１０１は、図１７、図１８に示したように、第２の底面９３と側面９７、９８に開口部を有することである。第３の実施形態における第１の固定具は第２の実施形態における第１の固定具５１と共通である。
【００４９】
第２の固定具９１は、主要部９２が略直方体の形状をしており、主要部９２の底面９３（第２の底面９３）、第２の底面９３の反対側の上面９４（第２の上面９４）、長手方向の側面９５、側面９６、短手方向の側面９７、側面９８より形成されている。
【００５０】
第２の底面９３の中央部付近にフラットケーブル用の略角型の凹部９９が設けられている。凹部９９の凹部底面９９ａと第２の底面９３との間の距離は距離Ｓである。また、凹部底面９９ａと第２の上面９４との間の距離は距離Ｔである。凹部９９の長手方向の長さは長さＬである。
【００５１】
第２の底面９３の両端部近傍（側面９７と側面９８の近傍）に第２の係合部１００及び１０１を有する。図１７に示したように第２の係合部１００は第２の底面９３と側面９７に対して凹形に形成されており、第２の係合部１０１は第２の底面９３と側面９８に対して凹形に形成されている。第２の係合部１００、１０１は、凹部９９寄りの内側部分の上部１００ａ、１０１ａの先端部は略半球形の空間部であり、先端部の第２の底面９３からの深さはＨ２である。茎部１００ｂ、１０１ｂは上部１００ａ、１０１ａと第２の底面９３とを接続する部分であり、凹部９９寄りの内側部分は半円柱形である。上部１００ａ、１０１ａの半球形部の直径Ｄ２は茎部１００ｂ、１０１ｂの幅Ｗ２よりも大きい。
【００５２】
第２の上面９４の両端部近傍（側面９７と側面９８の近傍）に第３の係合部１０２及び１０３が設けられている。第３の係合部１０２、１０３は第２の上面９４から突出している。第３の係合部１０２、１０３は、図１０、図１１に示した第１の固定具５１の第１の係合部５９、６０と略同じ形状である。従って、第３の係合部１０２、１０３の先端部の第２の上面９４からの高さはＨ１であり、上部１０２ａ、１０３ａの直径は直径Ｄ１であり、茎部１０２ｂ、１０３ｂの直径は直径Ｄ３である。第３の係合部１０２と１０３の間隔は距離Ｐである。
【００５３】
図１０、図１１に示した第１の固定具５１の第１係合部５９、６０と第２の係合部１００、１０１を其々係合させることにより、第１の固定具５１と第２の固定具９１を接合させることができる。第２の係合部１００、１０１の高さＨ２は、第１係合部５９、６０の高さＨ１より大きい。第２の係合部１００、１０１の直径Ｄ２は、第１係合部５９、６０の直径Ｄ１より大きい。第２の係合部の茎部１００ｂ、１０１ｂの幅Ｗ２は、第１の係合部５９、６０の直径Ｄ３より大きい。第１の係合部５９、６０の直径Ｄ１は、第２の係合部の茎部１００ｂ、１０１ｂの幅Ｗ２より大きい。
【００５４】
第１の固定具５１を下にして、係合部同士の位置を合わせてから、上から第２の固定具９１を押圧すると、第２の係合部１００、１０１の上部１００ａ、１０１ａの先端部付近が弾性変形し、茎部１００ｂ、１０１ｂの幅Ｗ２が広がり、第１の係合部５９、６０の上部５９ａ、６０ａが茎部１００ｂ、１０１ｂに嵌まり込み、更に押圧すると上部５９ａ、６０ａが、上部１００ａ、１０１ａに嵌まり込む。この後に弾性変形が元の状態に戻ることにより、上部５９ａ、６０ａが、茎部１００ｂ、１０１ｂから抜けない状態となり、第１の固定具５１と第２の固定具９１が接合した状態となる。
【００５５】
第２の固定具９１の第３の係合部１０２及び１０３に別の第２の固定具９１の第２の係合部１００、１０１を其々係合させることにより、第２の固定具９１に更に別の第２の固定具９１を接合させることができる。従って複数の第２の固定具９１を重ねて接合することができる。
【００５６】
図１９は、第３の実施形態に係わる第３の固定具１０５の外観斜視図である。図２０は、第３の実施形態に係わる第３の固定具１０５の断面図（ａ）及び側面図（ｂ）である。断面図（ａ）は側面図（ｂ）におけるＥＥ断面である。第３の固定具１０５は、両側の基底部１０６とこの両側の基底部１０６を略中央で連結する逆Ｕ字形の連結部１１５により形成されている。基底部１０６は、基底部１０６の底面１０７（第３の底面１０７）、第３の底面１０７の反対側の上面１０８（第３の上面１０８）、長手方向の側面１０９、側面１１０、短手方向の側面１１１、側面１１２より形成されている。連結部１１５の空間部１１６の幅は距離Ｍである。なお、連結部１１５は逆Ｕ字形であったが、角形でも多角形でもよい。
【００５７】
第３の底面１０７の両端部近傍（側面１１１と側面１１２の近傍）に第４の係合部１１３、１１４を有する。図２０に示したように、第４の係合部１１３は第３の底面１０７と側面１１１に対して凹形に形成されており、第４の係合部１１４は第３の底面１０７と側面１１２に対して凹形に形成されている。第４の係合部１１３、１１４は、連結部１１５寄りの内側部分の上部１１３ａ、１１４ａの先端部は略半球形であり、先端部の第２の底面９３からの深さはＨ２である。茎部１１３ｂ、１１４ｂは上部１１３ａ、１１４ａと第３の底面１０７とを接続する部分である。上部１１３ａ、１１４ａの球形部の直径Ｄ２は茎部１１３ｂ、１１４ｂの幅Ｗ２よりも大きい。
【００５８】
第４の係合部１１３、１１４は、第２の固定具９１の第２の係合部１００、１０１と略同じ形状である。第４の係合部１１３、１１４の先端部の第３の底面１０７からの高さはＨ２であり、上部１１３ａ、１１４ａの先端部の直径は直径Ｄ２であり、茎部１１３ａ、１１４ａの幅はＷ２である。第４の係合部１１３と１１４の間隔は距離Ｐである。
【００５９】
第４の係合部１１３、１１４と第１の固定具５１の第１の係合部５９、６０を其々係合させることにより、第３の固定具１０５と第１の固定具５１とを接合させることができる。また、第４の係合部１１３、１１４と第２の固定具９１の第３の係合部１０２、１０３を其々係合させることにより、第３の固定具１０５と第２の固定具９１を接合させることができる。
【００６０】
図２１は、第１の固定具５１、第２の固定具９１と第３の固定具１０５が接合した状態を示した外観斜視図である。第１の固定具５１と第２の固定具５１の間の凹部９９にＦＦＣを配置し、第３の固定具１０５の逆Ｕ字形の連結部１１５の空間部１１６に一般電線を配置することができる。第２の固定具９１の凹部底面９９ａと第２の上面９４との間の距離Ｔにより、ＦＦＣと一般電線の間隔を距離Ｔとすることができる。第１の固定具５１、１個あるいは複数の第２の固定具９１と第３の固定具１０５を用いることにより、１個あるいは複数のＦＦＣと一般電線を同時に結束することができ、ＦＦＣ同士、ＦＦＣと一般電線の接触を防止することができる。
【００６１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００６２】
１  第１の固定具
２  主要部
３  第１の底面
４  第１の上面
９  第１の係合部
１０  第１の係合部
１１  接着剤、粘着剤
１３  第２の固定具
１４  主要部
１５  第２の底面
１６  第２の上面
２１  凹部
２２  第２の係合部
２３  第２の係合部
２４  第３の係合部
２５  第３の係合部
２７  第３の固定具
２８  基底部
２９  第３の底面
３０  第３の上面
３５  第４の係合部
３６  第４の係合部
５１  第１の固定具
６３  第２の固定具
７７  第３の固定具
９１  第２の固定具
１０５  第３の固定具
【図１】
2014029968.tif 000003
【図２】
2014029968.tif 000004
【図３】
2014029968.tif 000005
【図４】
2014029968.tif 000006
【図５】
2014029968.tif 000007
【図６】
2014029968.tif 000008
【図７】
2014029968.tif 000009
【図８】
2014029968.tif 000010
【図９】
2014029968.tif 000011
【図１０】
2014029968.tif 000012
【図１１】
2014029968.tif 000013
【図１２】
2014029968.tif 000014
【図１３】
2014029968.tif 000015
【図１４】
2014029968.tif 000016
【図１５】
2014029968.tif 000017
【図１６】
2014029968.tif 000018
【図１７】
2014029968.tif 000019
【図１８】
2014029968.tif 000020
【図１９】
2014029968.tif 000021
【図２０】
2014029968.tif 000022
【図２１】
2014029968.tif 000023